(57)【要約】    【課題】  一方筐体および他方筐体を備え、一方筐体と他方筐体とを連結体を介し開閉軸を中心として開閉自在にするとともに、連結体に対して他方筐体を旋回自在に連結して成る電子機器を対象とし、外観形状に関わる設計自由度を増大させることの可能な電子機器の提供を目的とする。    【解決手段】  一方筐体の正面と他方筐体の正面とを対向させて閉じた際、一方筐体の正面または他方筐体の正面の何れか一方と当接して、一方筐体の正面と他方筐体の正面との間に所定のクリアランスを形成する第１当接部材を設け、また一方筐体の正面と他方筐体の背面とを対向させて閉じた際、他方筐体の背面と当接して、一方筐体の正面と他方筐体の背面との間に所定のクリアランスを形成する第２当接部材を設け、さらに一方筐体の正面と他方筐体の正面とを対向させて閉じた際、第１当接部材によるクリアランスの形成を邪魔することなく、第２当接部材を収容する退避凹部を設けている。    【選択図】  図１
2007306439.tif 000002
【特許請求の範囲】
【請求項１】
一方筐体および他方筐体と、前記一方筐体と前記他方筐体との間に介在する連結体とを備え、前記一方筐体と前記他方筐体とを、前記連結体を介し開閉軸を中心として開閉自在に連結するとともに、前記連結体に対して前記他方筐体を、前記開閉軸と直交する旋回軸を中心として旋回自在に連結して成る電子機器において、
前記一方筐体の正面または前記他方筐体の正面の何れか一方に、前記一方筐体の正面と前記他方筐体の正面とを対向させて閉じた際、前記一方筐体の正面または前記他方筐体の正面の何れか一方と当接して、前記一方筐体の正面と前記他方筐体の正面との間に所定のクリアランスを形成する第１当接部材を設け、
前記一方筐体の正面に、前記一方筐体の正面と前記他方筐体の背面とを対向させて閉じた際、前記他方筐体の背面と当接して、前記一方筐体の正面と前記他方筐体の背面との間に所定のクリアランスを形成する第２当接部材を設け、
前記他方筐体の正面に、前記一方筐体の正面と前記他方筐体の正面とを対向させて閉じた際、前記第１当接部材によるクリアランスの形成を邪魔することなく、前記第２当接部材を収容する退避凹部を設けたことを特徴とする電子機器。
【請求項２】
一方筐体および他方筐体と、前記一方筐体と前記他方筐体との間に介在する連結体とを備え、前記一方筐体と前記他方筐体とを、前記連結体を介し開閉軸を中心として開閉自在に連結するとともに、前記連結体に対して前記他方筐体を、前記開閉軸と直交する旋回軸を中心として旋回自在に連結し、前記一方筐体の正面と前記他方筐体の正面とを対向させて閉じた際、前記一方筐体の正面と前記他方筐体の正面との間に所定のクリアランスを形成し、前記一方筐体の正面と前記他方筐体の背面とを対向させて閉じた際、前記一方筐体の正面と前記他方筐体の背面との間に所定のクリアランスを形成して成る電子機器において、
前記一方筐体の正面に設けられ、第１当接部および第２当接部から成る当接部材と、
前記他方筐体の正面に設けられた収容凹部とを具備し、
前記一方筐体の正面と前記他方筐体の正面とを対向させて閉じた際は、前記第１当接部が前記他方筐体の正面と当接し、前記第２当接部は前記他方筐体の正面と当接することなく前記収容凹部に収容され、
前記一方筐体の正面と前記他方筐体の背面とを対向させて閉じた際は、前記第１当接部は前記他方筐体の背面と所定のクリアランスを形成し、前記第２当接部が前記他方筐体の背面と当接することを特徴とする電子機器。
【発明の詳細な説明】
【技術分野】
【０００１】
本発明は、一方筐体および他方筐体と、前記一方筐体と前記他方筐体との間に介在する連結体とを備え、前記一方筐体と前記他方筐体とを、前記連結体を介し開閉軸を中心として開閉自在に連結するとともに、前記連結体に対して前記他方筐体を、前記開閉軸と直交する旋回軸を中心として旋回自在に連結して成る電子機器に関するものである。
【背景技術】
【０００２】
例えば、電子機器の一例である携帯電話機には、使用時における使い易さと携帯時のコンパクト化とを両立させ、さらに多様な使用形態を実現することを目的として、正面に操作部を有する一方筐体と、正面に表示部を有する他方筐体とを、回転２軸ヒンジ機構を用いて互いに開閉自在、かつ旋回可能に連結して成る折畳み式の携帯電話機が提供されている(例えば、特許文献１参照)。
【０００３】
図１６〜図１８に示す如く、上述した折畳み式の携帯電話機Ａは、本体を構成する下筐体(一方筐体)Ｂと、蓋体を構成する上筐体(他方筐体)Ｃとを備えており、下筐体Ｂの正面Ｂｆには、複数の操作キーを備えた操作部Ｂａと送話部Ｂｍとが設けられている一方、上筐体Ｃの正面Ｃｆには、大型の液晶表示画面Ｃｄとともに受話部Ｃｒが設けられている。
【０００４】
上述した下筐体Ｂと上筐体Ｃとは、回転２軸ヒンジ機構(図示せず)を備えた連結体Ｄを介して、図１６に矢印Ｆで示す如く開閉軸ｘを中心として開閉自在に連結されているとともに、上記開閉軸ｘと直交する旋回軸ｚを中心として、図１６に矢印Ｒで示す如く旋回自在に連結されている。
【０００５】
これにより、上記携帯電話機Ａは、下筐体Ｂの正面Ｂｆと上筐体Ｃの正面Ｃｆとを相対向させて閉じたクローズポジションと、該クローズポジションから下筐体Ｂに対して上筐体Ｃを所定の姿勢角で開いたオープンポジションとを取ることができる。
【０００６】
さらに、上記携帯電話機Ａは、上記オープンポジションから上筐体Ｃを１８０°旋回(
反転)させたターンオープンポジションと、該ターンオープンポジションから上筐体Ｃを
閉じて、下筐体Ｂの正面Ｂｆと上筐体Ｃの背面Ｃｂとを相対向させ、メイン液晶画面Ｃｄを外方に露呈させたターンオーバーポジションとを取ることができる。
【０００７】
また、一方筐体と他方筐体とを閉じた際に、両者の間に所定のクリアランス(間隙)を形成するための、クリアランスキーパを備えて成る折畳み式の携帯電話機が、従来より数多く提供されている(例えば、特許文献２参照)。
【０００８】
すなわち、図１６〜図１８に示した折畳み式の携帯電話機Ａにおいては、下筐体Ｂの正面ＢｆにクリアランスキーパＱ、Ｑを設けており、このクリアランスキーパＱ、Ｑに上筐体Ｃの正面Ｃｆを当接させることで、図１７(ｂ)に示すクローズポジションにおいて、下筐体Ｂの正面Ｂｆと上筐体Ｃの正面Ｃｆとの間に所定のクリアランスｇを形成する一方、上記クリアランスキーパＱ、Ｑに上筐体Ｃの背面Ｃｂを当接させることで、図１８(ｂ)に示すターンオーバーポジションにおいて、下筐体Ｂの正面Ｂｆと上筐体Ｃの背面Ｃｂとの間に所定のクリアランスｇを形成している。
【特許文献１】特開２００５−３５４４５６号公報
【特許文献２】特開２００４−１２８８１４号公報
【発明の開示】
【発明が解決しようとする課題】
【０００９】
ところで、上述した如き回転２軸ヒンジ機構を用いた折り畳み式の携帯電話機Ａでは、クローズポジションとターンオーバーポジションとにおける、下筐体Ｂと上筐体Ｃとの相対的な位置関係、詳しくは両者のクリアランスや全体の外観形状を同一(平行)に保つため、上筐体Ｃにおける正面Ｃｆと背面Ｃｂとを各々旋回軸ｚから同一の距離(厚さ寸法)とする必要がある。
【００１０】
この結果、従来の携帯電話機Ａにおける上筐体Ｃの形態は、正面Ｃｆと背面Ｃｂとが共に平坦な極めてシンプルなデザインを採用せざるを得ず、携帯電話機の外観デザインに関わる設計自由度が大きく損なわれていたため、例えば上筐体における背面の先端側を落し込むことにより、クローズポジションにおいてウェッジシェープを現出させるデザイン等を採用することができなかった。
【００１１】
本発明は上述した実状に鑑みて、クローズポジションとターンオーバーポジションとにおける、一方筐体と他方筐体との相対的な位置関係を保ちつつ、外観デザインに関わる設計自由度の増大を可能とした電子機器の提供を目的とするものである。
【課題を解決するための手段】
【００１２】
上記目的を達成するべく、請求項１の発明に関わる電子機器は、一方筐体および他方筐体と、これら一方筐体と他方筐体との間に介在する連結体とを備え、一方筐体と他方筐体とを連結体を介し開閉軸を中心として開閉自在に連結するとともに、連結体に対して他方筐体を開閉軸と直交する旋回軸を中心として旋回自在に連結して成る電子機器において、一方筐体の正面または他方筐体の正面の何れか一方に、一方筐体の正面と他方筐体の正面とを対向させて閉じた際、一方筐体の正面または他方筐体の正面の何れか一方と当接して、一方筐体の正面と他方筐体の正面との間に所定のクリアランスを形成する第１当接部材を設け、また一方筐体の正面に、一方筐体の正面と他方筐体の背面とを対向させて閉じた際、他方筐体の背面と当接して、一方筐体の正面と他方筐体の背面との間に所定のクリアランスを形成する第２当接部材を設け、さらに他方筐体の正面に、一方筐体の正面と他方筐体の正面とを対向させて閉じた際、第１当接部材によるクリアランスの形成を邪魔することなく、第２当接部材を収容する退避凹部を設けたことを特徴としている。
【００１３】
また、請求項２の発明に関わる電子機器は、一方筐体および他方筐体と、これら一方筐体と他方筐体との間に介在する連結体とを備え、一方筐体と他方筐体とを連結体を介し開閉軸を中心として開閉自在に連結するとともに、連結体に対して他方筐体を開閉軸と直交する旋回軸を中心として旋回自在に連結し、一方筐体の正面と他方筐体の正面とを対向させて閉じた際、一方筐体の正面と他方筐体の正面との間に所定のクリアランスを形成し、一方筐体の正面と他方筐体の背面とを対向させて閉じた際、一方筐体の正面と他方筐体の背面との間に所定のクリアランスを形成して成る電子機器において、一方筐体の正面に設けられて第１当接部および第２当接部から成る当接部材と、他方筐体の正面に設けられた収容凹部とを具備し、一方筐体の正面と他方筐体の正面とを対向させて閉じた際は、第１当接部が他方筐体の正面と当接し、第２当接部は他方筐体の正面と当接することなく収容凹部に収容され、一方筐体の正面と他方筐体の背面とを対向させて閉じた際は、第１当接部は他方筐体の背面と所定のクリアランスを形成し、第２当接部が他方筐体の背面と当接することを特徴としている。
【発明の効果】
【００１４】
請求項１の発明に関わる電子機器によれば、クローズポジションにおいて一方筐体と他方筐体との正面間に所定のクリアランスを形成する第１当接部材と、ターンオーバーポジションにおいて一方筐体の正面と他方筐体の背面との間に所定のクリアランスを形成する第２当接部材とを別個に用意したことで、クローズポジションとターンオーバーポジションとにおける、一方筐体と他方筐体との相対的な位置関係を保ちつつ、他方筐体における正面と背面との形状が相違するデザインの採用が可能となり、もって携帯電話機の外観デザインに関わる設計自由度が格段に向上することとなる。
【００１５】
また、請求項２の発明に関わる電子機器によれば、一方筐体の正面に設けた当接部材が、クローズポジションにおいて一方筐体と他方筐体との正面間に所定のクリアランスを形成する第１当接部と、ターンオーバーポジションにおいて一方筐体の正面と他方筐体の背面との間に所定のクリアランスを形成する第２当接部とから成ることで、クローズポジションとターンオーバーポジションとにおける、一方筐体と他方筐体との相対的な位置関係を保ちつつ、他方筐体における正面と背面との形状が相違するデザインの採用が可能となり、もって携帯電話機の外観デザインに関わる設計自由度が格段に向上することとなる。
【発明を実施するための最良の形態】
【００１６】
以下、実施例を示す図面に基づいて、本発明を詳細に説明する。  
図１〜図３は、本発明を電子機器の一態様である携帯電話機に適用した実施例を示しており、この折り畳み式の携帯電話機１は、本体を構成する下筐体(一方筐体)２と、蓋体を構成する上筐体(他方筐体)３とを備えている。
【００１７】
上記下筐体２の正面２ｆには、複数の操作キーを備えた操作部２Ｍと送話部２ｍとが設けられている一方、上筐体３の正面３ｆには、大型の液晶表示画面３Ｄとともに受話部３ｒが設けられている。
【００１８】
上述した下筐体２と上筐体３とは、回転２軸ヒンジ機構(図示せず)を備えた連結体４を介して、図３中に矢印Ｆで示す如く開閉軸ｘを中心として開閉自在に連結されているとともに、上記開閉軸ｘと直交する旋回軸ｚを中心として、図３中に矢印Ｒで示す如く旋回自在に連結されている。
【００１９】
これにより、上記携帯電話機１は、下筐体２の正面２ｆと上筐体３の正面３ｆとを相対向させて閉じたクローズポジション(図２(ａ)参照)と、該クローズポジションから下筐体２に対して上筐体３を所定の姿勢角で開いたオープンポジションとを取ることができる。
【００２０】
また、上記携帯電話機１は、上記オープンポジションから上筐体３を１８０°旋回(反
転)させたターンオープンポジションと、該ターンオープンポジションから上筐体３を閉
じて、下筐体２の正面２ｆと上筐体３の背面３ｂとを相対向させ、液晶表示画面３Ｄを外方に露呈させたターンオーバーポジション(図２(ｂ)参照)とを取ることができる。
【００２１】
ここで、下筐体２における正面２ｆと、上筐体３における正面３ｆとは、共に平面によって構成されている一方、上筐体３における背面３ｂを、その先端側(自由端部側)を落し込んだ曲面とすることで、上筐体３をクローズポジションとした際にウェッジシェープを現出するデザインとなっている。
【００２２】
図１〜図３に示す如く、上記携帯電話機１における下筐体２の正面２ｆには、その自由端部側における送話部２ｍに近接した位置にクリアランスキーパ(当接部材)５が取り付けられている一方、上筐体３における正面３ｆの自由端部側には、クローズポジションにおいてクリアランスキーパ５と対応する位置に退避凹部３Ｒが陥没形成されている。
【００２３】
図４に示す如く、上記クリアランスキーパ５は、下筐体２の幅方向に延在する棒状の部材であって、クッション性を備えたエラストマ等の適宜な材料を用いて製造されている。
【００２４】
また、上記クリアランスキーパ５は、第１当接部材として機能する左右の正面支持部(
第１当接部)５Ｂ、５Ｂと、第２当接部材として機能する中央の背面支持部(第２当接部)
５Ａとを有し、これら背面支持部５Ａと正面支持部５Ｂ、５Ｂとは一体に形成されている。
【００２５】
さらに、上記クリアランスキーパ５においては、中央の背面支持部５Ａにおける高さ寸法Ｈａが、左右の正面支持部５Ｂ、５Ｂにおける高さ寸法Ｈｂよりも大きく(高く)設定されている。
【００２６】
一方、図５に示す如く、上記退避凹部３Ｒは、上筐体３の幅方向に延在する有底の長孔であって、その底部中央には受話部３ｒの音孔３ｏが開口している。
【００２７】
また、上記退避凹部３Ｒは、その長手寸法Ｗが、クリアランスキーパ５における背面支持部５Ａの長手寸法Ｌ(図４参照)より僅かに大きく設定され、その深さ寸法Ｄが、クリアランスキーパ５における背面支持部５Ａと正面支持部５Ｂとの高さの差Ｈｄ(図４参照)より僅かに大きく設定されている。
【００２８】
いま、上述した携帯電話機１の上筐体３を、図６(ａ)に示したオープンポジションから、図６(ｂ)に示すクローズポジションとした場合、図７に示す如く、クリアランスキーパ５における正面支持部５Ｂ、５Ｂに、上筐体３の正面３ｆが当接することにより、下筐体２の正面２ｆと上筐体３の正面３ｆとの間に、所定のクリアランスｇが形成されることとなる。
【００２９】
このとき、クリアランスキーパ５における背面支持部５Ａは、上筐体３の正面３ｆに陥没形成された退避凹部３Ｒに入り込むため、上述した正面支持部５Ｂ、５Ｂによるクリアランスｇの形成を、上記背面支持部５Ａが何ら邪魔することはない。
【００３０】
一方、上述した携帯電話機１の上筐体３を、図８(ａ)に示したターンオープンポジションから、図８(ｂ)に示すターンオーバーポジションとした場合、図９に示す如く、クリアランスキーパ５における背面支持部５Ａに、上筐体３の背面３ｂが当接することにより、下筐体２の正面２ｆと上筐体３の背面３ｂとの間に、所定のクリアランスｇが形成されることとなる。
【００３１】
このとき、曲面に形成された上筐体３における背面３ｂの先端側に、上述したクリアランスキーパ５の正面支持部５Ｂ、５Ｂよりも高さ寸法の大きい(高い)背面支持部５Ａが当接することで、下筐体２と上筐体３との相対的な位置関係を保ちつつ、下筐体２と上筐体３との間に所定のクリアランスｇが形成されることとなる。
【００３２】
言い換えれば、クリアランスキーパ５における背面支持部５Ａの高さ寸法Ｈａを、正面支持部５Ｂ、５Ｂの高さ寸法Ｈｂより大きく(高く)設定したことで、上筐体３における背面３ｂの先端側を落し込んだ曲面とすることを可能としているのである。
【００３３】
このように、クローズポジションにおいて上筐体３の正面３ｆを支持する正面支持部(
第１当接部材)５Ｂと、ターンオーバーポジションにおいて上筐体３の背面３ｂを支持す
る背面支持部(第２当接部材)５Ａとを用意することで、上筐体３における正面３ｆと背面３ｂとの形状が異なったデザインの採用が可能となり、もって携帯電話機の外観デザインに関わる設計自由度が格段に増大することとなる。
【００３４】
ところで、上述した実施例の携帯電話機１においては、第１当接部材としての正面支持部５Ｂ、５Ｂと、第２当接部材としての背面支持部５Ａとを、一体に形成して成るクリアランスキーパ５を、下筐体２の正面２ｆに取り付けているが、第１当接部材および第２当接部材の形態やレイアウトは、実施例に限定されることなく様々な態様を採ることが可能である。
【００３５】
図１０〜図１２は、本発明を適用した携帯電話機の他の実施例を示しており、この折り畳み式の携帯電話機１′は、下筐体２における正面２ｆの自由端部側に、第２当接部材として機能するセンタクリアランスキーパ５Ａ′が取り付けられ、該センタクリアランスキーパ５Ａの左右に、第１当接部材として機能するサイドクリアランスキーパ５Ｂ′、５Ｂ′が取り付けられている。
【００３６】
また、上筐体３′における正面３ｆ′の自由端部側には、クローズポジションにおいてセンタクリアランスキーパ５Ａ′と対応する位置に、上記センタクリアランスキーパ５Ａ′を収容する退避凹部３Ｒ′が陥没形成されている。
【００３７】
ここで、上述した携帯電話機１′の構成は、各クリアランスキーパの形態およびレイアウト以外、図１〜図９に示した携帯電話機１と基本的に同一なので、携帯電話機１′の構成要素において、携帯電話機１の構成要素と同一の作用を成すものには、図１０〜図１２において、図１〜図９と同一の符号に′(ダッシュ)を附すことで詳細な説明は省略する。
【００３８】
図１１に示す如く、上筐体３′をクローズポジションとした場合、サイドクリアランスキーパ５Ｂ′、５Ｂ′に、上筐体３′の正面３ｆ′が当接することにより、下筐体２′の正面２ｆ′と上筐体３′の正面３ｆ′との間に、所定のクリアランスｇ′が形成されることとなる。
【００３９】
このとき、センタクリアランスキーパ５Ａ′は、上筐体３′の正面３ｆ′に陥没形成された退避凹部３Ｒ′に入り込むため、サイドクリアランスキーパ５Ｂ′、５Ｂ′によるクリアランスｇ′の形成を、上記センタクリアランスキーパ５Ａ′が何ら邪魔することはない。
【００４０】
一方、図１２に示す如く、上筐体３′をターンオーバーポジションとした場合、センタクリアランスキーパ５Ａ′に、上筐体３′における背面３ｂ′の先端側が当接することで、下筐体２′の正面２ｆ′と上筐体３′の背面３ｂ′との間に、所定のクリアランスｇ′が形成されることとなる。
【００４１】
このとき、曲面に形成された上筐体３′における背面３ｂ′の先端側に、上述したサイドクリアランスキーパ５Ｂ′、５Ｂ′よりも高さ寸法の大きい(高い)センタクリアランスキーパ５Ａ′が当接することで、下筐体２′と上筐体３′との相対的な位置関係を保ちつつ、下筐体２′と上筐体３′との間に所定のクリアランスｇ′が形成されることとなる。
【００４２】
図１３〜図１５は、本発明を適用した携帯電話機の更に他の実施例を示しており、この折り畳み式の携帯電話機１″は、下筐体２″の正面２ｆ″における自由端部側の中央域に、第２当接部材として機能するセンタクリアランスキーパ５Ａ″が取り付けられている。
【００４３】
また、上筐体３″における正面３ｆ″の自由端部側には、クローズポジションにおいてセンタクリアランスキーパ５Ａ″と対応する位置に、上記センタクリアランスキーパ５Ａ″を収容する退避凹部３Ｒ″が陥没形成されているとともに、上記退避凹部３Ｒ″の左右に、第１当接部材として機能するサイドクリアランスキーパ５Ｂ″、５Ｂ″が取り付けられている。
【００４４】
なお、上述した携帯電話機１″の構成は、各クリアランスキーパの形態およびレイアウト以外、図１〜図９に示した携帯電話機１と基本的に同一なので、携帯電話機１″の構成要素において、携帯電話機１の構成要素と同一の作用を成すものには、図１３〜図１５において、図１〜図９と同一の符号に″(ダブルダッシュ)を附すことで詳細な説明は省略する。
【００４５】
図１４に示す如く、上筐体３″をクローズポジションとした場合、下筐体２″の正面２ｆ″に、サイドクリアランスキーパ５Ｂ″、５Ｂ″が当接することで、下筐体２″の正面２ｆ″と上筐体３″の正面３ｆ″との間に、所定のクリアランスｇ″が形成されることとなる。
【００４６】
このとき、センタクリアランスキーパ５Ａ″は、上筐体３″の正面３ｆ″に陥没形成された退避凹部３Ｒ″に入り込むため、サイドクリアランスキーパ５Ｂ″、５Ｂ″によるクリアランスｇ″の形成を、上記センタクリアランスキーパ５Ａ″が何ら邪魔することはない。
【００４７】
一方、図１５に示す如く、上筐体３″をターンオーバーポジションとした場合、センタクリアランスキーパ５Ａ″に、上筐体３″における背面３ｂ″の先端側が当接することで、下筐体２″の正面２ｆ″と上筐体３″の背面３ｂ″との間に、所定のクリアランスｇ″が形成されることとなる。
【００４８】
このとき、曲面に形成された上筐体３″における背面３ｂ″の先端側に、上述したサイドクリアランスキーパ５Ｂ″、５Ｂ″よりも高さ寸法の大きい(高い)センタクリアランスキーパ５Ａ″が当接することで、下筐体２″と上筐体３″との相対的な位置関係を保ちつつ、下筐体２″と上筐体３″との間に所定のクリアランスｇ″が形成されることとなる。
【００４９】
なお、上述した実施例においては、本発明を電子機器の一態様である携帯電話機に適用した例を示したが、回転２軸ヒンジ機構を備えた連結体を介して一方筐体と他方筐体とを開閉自在かつ旋回自在に連結した電子機器、例えば、電子辞書やＰＤＡ(パーソナル・デ
ータ・アシスタンス)等、様々な電子機器においても本発明を有効に適用し得ることは言
うまでもない。
【図面の簡単な説明】
【００５０】
【図１】本発明に関わる電子機器の一実施例である携帯電話機のオープンポジションを示す外観斜視図。
【図２】(ａ)および(ｂ)は、実施例の携帯電話機におけるクローズポジションおよびターンオーバーポジションを示す外観斜視図。
【図３】(ａ)、(ｂ)および(ｃ)は、実施例の携帯電話機を概念的に示す全体正面図、全体側面図および全体背面図。
【図４】(ａ)、(ｂ)および(ｃ)は、実施例の携帯電話機におけるクリアランスキーパを示す平面図、断面正面図および断面側面図。
【図５】(ａ)、(ｂ)および(ｃ)は、実施例の携帯電話機における退避凹部を示す平面図、断面正面図および断面側面図。
【図６】(ａ)および(ｂ)は、実施例の携帯電話機におけるオープンポジションおよびクローズポジションを示す概念的な外観斜視図。
【図７】(ａ)および(ｂ)は、クローズポジションにおけるクリアランスキーパの機能を概念的に示す側面図および端面図。
【図８】(ａ)および(ｂ)は、実施例の携帯電話機におけるターンオープンポジションおよびターンオーバーポジションを示す概念的な外観斜視図。
【図９】(ａ)および(ｂ)は、ターンオーバーポジションにおけるクリアランスキーパの機能を概念的に示す側面図および端面図。
【図１０】他の実施例である携帯電話機のオープンポジションを概念的に示す外観斜視図。
【図１１】図１０に示した携帯電話機のクローズポジションにおけるクリアランスキーパの機能を概念的に示す側面図および端面図。
【図１２】図１０に示した携帯電話機のターンオーバーポジションにおけるクリアランスキーパの機能を概念的に示す側面図および端面図。
【図１３】更に他の実施例である携帯電話機のオープンポジションを概念的に示す外観斜視図。
【図１４】図１３に示した携帯電話機のクローズポジションにおけるクリアランスキーパの機能を概念的に示す側面図および端面図。
【図１５】図１３に示した携帯電話機のターンオーバーポジションにおけるクリアランスキーパの機能を概念的に示す側面図および端面図。
【図１６】(ａ)、(ｂ)および(ｃ)は、従来の携帯電話機を概念的に示す全体正面図、全体側面図および全体背面図。
【図１７】(ａ)および(ｂ)は、従来の携帯電話機におけるオープンポジションおよびクローズポジションを示す概念的な外観斜視図。
【図１８】(ａ)および(ｂ)は、従来の携帯電話機におけるターンオープンポジションおよびターンオーバーポジションを示す概念的な外観斜視図。
【符号の説明】
【００５１】
１…携帯電話機(電子機器)。
【００５２】
２…下筐体(一方筐体)、
２ｆ…正面、
３…上筐体(他方筐体)、
３ｆ…正面、
３ｂ…背面、
３Ｒ…退避凹部、
４…連結体、
５…クリアランスキーパ(当接部材)、
５Ａ…背面支持部(第２当接部、第２当接部材)、
５Ｂ…正面支持部(第１当接部、第１当接部材)、
５Ａ′、５Ａ″…センタクリアランスキーパ(第２当接部材)、
５Ｂ′、５Ｂ″…サイドクリアランスキーパ(第１当接部材)、
ｘ…開閉軸、
ｚ…旋回軸。
【図１】
2007306439.tif 000003
【図２】
2007306439.tif 000004
【図３】
2007306439.tif 000005
【図４】
2007306439.tif 000006
【図５】
2007306439.tif 000007
【図６】
2007306439.tif 000008
【図７】
2007306439.tif 000009
【図８】
2007306439.tif 000010
【図９】
2007306439.tif 000011
【図１０】
2007306439.tif 000012
【図１１】
2007306439.tif 000013
【図１２】
2007306439.tif 000014
【図１３】
2007306439.tif 000015
【図１４】
2007306439.tif 000016
【図１５】
2007306439.tif 000017
【図１６】
2007306439.tif 000018
【図１７】
2007306439.tif 000019
【図１８】
2007306439.tif 000020